(57)【特許請求の範囲】
【請求項１】
ループアンテナを含む略四角形状で略板状の電子装置において、
前記ループアンテナは、複数の前記電子装置を、その表面と表面の少なくとも一部が対向するように、または、裏面と裏面の少なくとも一部が対向するように重ね合わせた場合に、前記略四角形状の電子装置の角の近傍に位置する前記ループアンテナの部分を構成する導体同士が重ならない形状とされ、
前記ループアンテナは、第１の直線に続き第１の曲線が形成され、前記第１の曲線に続き第２の直線が形成され、前記第２の直線に続き第２の曲線が形成されたループの形状であり、前記第１の直線と前記第２の曲線が接続される部分と、前記第２の直線と前記第１の曲線が接続される部分は、それぞれ略直角形状とされる
電子装置。
【請求項２】
前記ループアンテナにより受信された信号を処理する処理部は、前記ループアンテナの内側に配置される
請求項１に記載の電子装置。
【発明の詳細な説明】
【０００１】
【発明の属する技術分野】
本発明は、電子装置に関し、特に、例えば、ＩＣ（Integrated Circuit）カードを複数枚重ねて、非接触によりデータの書き込み、または読み出しを行うような場合において、受信効率の低下を極力抑え、歪みの少ない信号で処理できるようにした電子装置に関する。
【０００２】
【従来の技術】
最近、非接触ＩＣカードが普及し、地下鉄、バス、もしくはフェリー等の交通機関の共通乗車券、または電子マネーシステム等に導入されている。このＩＣカードに対するデータの書き込み、あるいは読み出しは、電磁誘導の原理に基づいて、非接触で行われる。
【０００３】
すなわち、非接触ＩＣカードシステムでは、ＩＣカードにデータの書き込み、あるいは読み出しを行うリーダライタが内蔵するループアンテナから電磁波が放射される。放射された電磁波は、ＩＣカード内部に設けられたループアンテナで受信される。これにより、ＩＣカードとリーダライタとの間で通信が行なわれる。
【０００４】
また、ＩＣカードのメンテナンスを行わなくて済むようにするため、ＩＣカードには、電池が設けられておらず、受信した電磁波から必要な電力が取得されるようになっている。従って、ＩＣカードは、電磁波をできるだけ効率良く受信する必要がある。
【０００５】
一般的に、図１に示すように、ＩＣカードの内部には、可能な限り大きな長方形状に、２巻き以上に巻かれたループアンテナ１が設けられる。ループアンテナ１は、リーダライタから放射される電磁波のキャリア周波数（搬送周波数）に、共振回路を共振させることにより信号を受信する。
【０００６】
ＩＣカードは、基本的には１枚だけで使用されるが、２枚重ねた状態で使用される場合もある。例えば、ユーザは、定期券区間を通過して、定期券区間以外の駅で下車した場合、乗り越し区間分の清算を行うために、定期券と、イオカード（商標）（いずれもＩＣカードで構成されているものとする）を２枚重ねて、リーダライタに提示する。このとき、リーダライタ、またはそれが接続されている非接触ＩＣカードシステムは、提示された定期券の区間を認識した後、乗り越し区間の距離を計算し、さらに乗り越し区間の距離に基づいて不足金額を計算し、その清算をイオカードにて行うような処理を実行する。
【０００７】
１枚のＩＣカードが提示された場合は勿論、ＩＣカードがこのように、複数枚重ねられたような場合においても、それぞれのＩＣカードが、所望の通信動作を行えるように、効率良く電磁波が受信される必要がある。
【０００８】
例えば、図１に示した構成のループアンテナ１を有する２つのＩＣカードを、図２に示すように、ＩＣカードを２枚とも表面を上にし、上から見たとき両者が完全に重なるように重ね合わせた場合（２枚のＩＣカードを、一方の表面が他方の裏面と対向するように重ね合わせた場合）、一方のＩＣカードのループアンテナ１−１を構成する導体のうち、長方形の各辺を構成する直線部Ｌ１乃至Ｌ９が、他方のＩＣカードのループアンテナ１−２の対応する直線部Ｌ１１乃至Ｌ１９と、それぞれ重なり合う。このとき、ループアンテナ１−１,１−２と共振回路の共振周波数は、ループアンテナ１が１つのとき（ＩＣカードが1枚のとき）の共振周波数の２の１／２乗分の１（１／√２）に低下する。
【０００９】
すなわち、ＩＣカードを重ね合わせると、それぞれの共振回路の間に結合が発生する。そのため、共振周波数は、ＩＣカードが1枚の場合、１／（２π√（ＬＣ））であるが、２枚重ねられた場合、１／（２π√（Ｌ・（２Ｃ））＝（１／√２）・１／（２π√（ＬＣ））となる。すなわち、ＩＣカードを重ね合わせた場合、各ＩＣカードの共振回路の共振周波数が、電磁波のキャリア周波数から１／√２だけずれ、受信効率が低下する。
【００１０】
しかしながら、リーダライタから放射される電磁波のキャリア周波数が、例えば、１３．５６MHzである場合、各ＩＣカードの共振回路の共振周波数を、キャリア周波数より高い１７．５MHzに予め設定することにより、ＩＣカードが１枚で使用されても、同一方向に向けて２枚重ねて使用されても、電磁波は受信される。
【００１１】
【発明が解決しようとする課題】
ところで、図３に示すように、ＩＣカードの１枚は表面を上にして、かつ、他方の１枚は裏面を上にして重ね合わせた場合（２枚のＩＣカードを、表面同士、または裏面同士が対向するように重ね合わせた場合）、ループアンテナ１−１の直線部Ｌ１がループアンテナ１−２の直線部Ｌ１３と、ループアンテナ１−１の直線部Ｌ２がループアンテナ１−２の直線部Ｌ１２と、そしてループアンテナ１−１の直線部Ｌ３がループアンテナ１−２の直線部Ｌ１１と、それぞれ基本的に重なるが、その重なりは、図２における場合より複雑となる。
【００１２】
このとき、理論的根拠は必ずしも明確ではないが、少なくとも実験の結果、共振周波数は、図２に示すように重ね合わせた場合に比べてさらに低下する。このように、ＩＣカードが複数枚重なる場合を考慮して、共振回路の共振周波数をキャリア周波数より予め高く設定する方法は、ＩＣカードが１枚の場合、および２枚のＩＣカードを、図２に示すように、同一方向に向けて重ねられた場合には充分な効果が得られるが、図３に示すように、逆方向に向けて重ねられた場合には、充分な効果が得られないといった課題があった。
【００１３】
また、２枚のＩＣカードを重ね合わせた場合、受信した信号が歪みを含むものとなってしまうといった課題があった。
【００１４】
本発明はこのような状況に鑑みてなされたものであり、ＩＣカードがどのように重ね合わされた場合においても、ループアンテナが結合し難くなるような形状にすることにより、受信効率を低下させないようにし、受信した信号の歪みを低減させることを目的とする。
【００１５】
【課題を解決するための手段】
本発明の電子装置は、ループアンテナを含む略四角形状で略板状の電子装置において、前記ループアンテナは、複数の前記電子装置を、その表面と表面の少なくとも一部が対向するように、または、裏面と裏面の少なくとも一部が対向するように重ね合わせた場合に、前記略四角形状の電子装置の角の近傍に位置する前記ループアンテナの部分を構成する導体同士が重ならない形状とされ、第１の直線に続き第１の曲線が形成され、前記第１の曲線に続き第２の直線が形成され、前記第２の直線に続き第２の曲線が形成されたループの形状であり、前記第１の直線と前記第２の曲線が接続される部分と、前記第２の直線と前記第１の曲線が接続される部分は、それぞれ略直角形状とされている。
【００１６】
前記ループアンテナにより受信された信号を処理する処理部は、前記ループアンテナの内側に配置されるようにすることができる。
【００１９】
本発明の電子装置においては、ループアンテナを含む略四角形状で略板状の電子装置のループアンテナが、複数の電子装置を、その表面と表面の少なくとも一部が対向するように、または、裏面と裏面の少なくとも一部が対向するように重ね合わせた場合に、略四角形状の電子装置の角の近傍に位置するループアンテナの部分を構成する導体同士が重ならない形状とされ、第１の直線に続き第１の曲線が形成され、第１の曲線に続き第２の直線が形成され、第２の直線に続き第２の曲線が形成されたループの形状であり、第１の直線と第２の曲線が接続される部分と、第２の直線と第１の曲線が接続される部分は、それぞれ略直角形状とされている。
【００２４】
【発明の実施の形態】
図４は、非接触ＩＣカードシステムの構成例を表わしている。ＩＣカード１１は、電源供給用のバッテリを有しないバッテリーレス型のＩＣカードである。コンデンサ１２とともに共振回路を構成するループアンテナ１は、リーダライタ２１から放射された電磁波（実線で示す）を受信し、受信した電磁波を電気信号に変換した後、ＩＣ１３に供給する。ＩＣ１３の内部の構成は、図５を参照して後述する。
【００２５】
ホストコンピュータ３１は、リーダライタ２１のＤＰＵ（Digital Processing Unit）４１を制御し、ＩＣカード１１に所定のデータを書き込むか、または、ＩＣカード１１から所定のデータを読み出す。また、ホストコンピュータ３１は、ＤＰＵ４１より入力されたＩＣカード１１から読み出されたデータを処理し、必要に応じて図示せぬ表示部に表示する。
【００２６】
ＤＰＵ４１は、ホストコンピュータ３１からの指令に基づいて、各種制御用のコントロール信号を生成し、変復調回路４２を制御するとともに、指令に対応した送信データを生成し、変復調回路４２に供給する。さらに、ＤＰＵ４１は、変復調回路４２からの応答データに基づいて、再生データを生成し、ホストコンピュータ３１に出力する。
【００２７】
変復調回路４２は、ＤＰＵ４１から入力された送信データを変調し、ループアンテナ４３に供給する。変復調回路４２はまた、ループアンテナ４３からの変調波を復調し、復調データを、ＤＰＵ４１に入力する。ループアンテナ４３は、変復調回路４２から入力された変調信号に対応する電磁波を放射する。
【００２８】
次に、図５を参照して、リーダライタ２１とＩＣ１３の具体的な構成について説明する。この図においては、図４に示したリーダライタ２１の変復調回路４２が、変調回路としての発振器４２Ａと、復調回路４２Ｂとして図示されている。
【００２９】
ＩＣカード１１のループアンテナ１とコンデンサ１２よりなる共振回路に接続されているＩＣ１３は、整流回路６１を有している。整流回路６１は、ダイオード７１、抵抗７２、およびコンデンサ７３により構成されている。整流回路６１は、ループアンテナ１より供給された信号を整流平滑し、正のレベルの電圧を、レギュレータ６４に供給している。レギュレータ６４は、入力された正のレベルの電圧を、安定化させ、所定のレベルの直流電圧に変換し、シーケンサ６６、その他の回路に電力源として供給する。
【００３０】
整流回路６１の後段には、変調回路６２が接続されている。変調回路６２は、インピーダンス素子８１とFET（Field Effect Transistor）８２の直列回路により構成されており、共振回路のコイルを構成するループアンテナ１と並列に接続されている。FET８２は、シーケンサ６６からの信号に対応してオン、またはオフし、インピーダンス素子８１がループアンテナ１に対して並列に挿入された状態、または挿入されない状態にする。これにより、リーダライタ２１のループアンテナ４３に対してループアンテナ１を介して電磁結合している回路のインピーダンス（ループアンテナ４３の負荷）が変化される。
【００３１】
整流回路６１により整流平滑された信号は、コンデンサ９１と抵抗９２により構成されるハイパスフィルタ（以下、HPF（High pass-Filter）と称する）６３に供給され、その高域成分が抽出され、復調回路６５に供給されている。復調回路６５は、入力された高周波成分の信号を復調し、シーケンサ６６に出力する。
【００３２】
シーケンサ６６は、ROM（Read Only Memory）やRAM（Random Access Memory）（いずれも不図示）を内部に有しており、復調回路６５より入力された信号（コンマンド）をRAMに記憶させ、ROMに内蔵されているプログラムに従ってこれを解析し、解析された結果に基づいて、必要に応じてメモリ６７に格納されているデータを読み出す。シーケンサ６６はさらに、コマンドに対応するレスポンスを返すためにレスポンス信号を生成し、変調回路６２に供給する。
【００３３】
次に、図５に示したリーダライタ２１とＩＣカード１１との動作について、リーダライタ２１からＩＣカード１１に情報を書き込む場合およびＩＣカード１１から読み出す場合を例に挙げて説明する。ホストコンピュータ３１は、リーダライタ２１のＤＰＵ４１を制御し、ＩＣカード１１に所定のデータの書き込みを指令する。ＤＰＵ４１は、ホストコンピュータ３１からの指令に基づいて、書き込みのためのコマンド信号を生成するとともに、指令に対応した送信データ（書き込みデータ）を生成し、発振器４２Ａに供給する。発振器４２Ａは、入力された信号に基づいて発振信号の振幅を変調し、ループアンテナ４３に供給する。ループアンテナ４３は、入力された変調信号に対応する電磁波を放射する。
【００３４】
ＩＣカード１１のループアンテナ１とコンデンサ１２よりなる共振回路の共振周波数は、発振器４２Ａの発振周波数（キャリア周波数）に対応する値に設定されている。従って、この共振回路は、放射された電磁波を共振動作により受信し、受信した電磁波を電気信号に変換した後、ＩＣ１３に供給する。変換された電気信号は、ＩＣ１３が有する整流回路６１に入力される。整流回路６１のダイオード７１は、入力された信号を整流し、コンデンサ７３はこれを平滑し、正のレベルの電圧を、レギュレータ６４に供給する。レギュレータ６４は、入力された正のレベルの電圧を、安定化させ、所定のレベルの直流電圧に変換し、シーケンサ６６、その他の回路に電力源として供給する。
【００３５】
また、整流回路６１により整流平滑された信号は、変調回路６２を介してHPF６３に供給され、高域成分が抽出され、復調回路６５に供給される。復調回路６５は、入力された高周波成分の信号を復調し、シーケンサ６６に出力する。シーケンサ６６は、復調回路６５より入力された信号（コンマンド）をRAMに記憶させ、ROMに内蔵されているプログラムに従ってこれを解析し、解析された結果に基づいて、メモリ６７に、復調回路６５から供給されてきた書き込みデータを書き込む。
【００３６】
一方、シーケンサ６６は、復調回路６５より供給されたコンマンドが読み出しコマンドである場合、そのコマンドに対応するデータをメモリ６７から読み出す。シーケンサ６６は、読み出したデータに対応して、FET８２をオン、またはオフする。FET８２がオンされると、インピーダンス素子８１がループアンテナ１に並列に接続され、FET８２がオフされると、その並列接続が解除される。その結果、ループアンテナ１を介して電磁結合しているループアンテナ４３の負荷回路のインピーダンスが、読み出しデータに対応して変化される。
【００３７】
ループアンテナ４３の端子電圧は、その負荷のインピーダンスの変化に応じて変化する。復調回路４２Ｂは、この変化を読み取ることにより、読み出されたデータを復調し、ＤＰＵ４１に出力する。ＤＰＵ４１は、入力されたデータを適宜処理し、ホストコンピュータ３１に出力する。ホストコンピュータ３１は、ＤＰＵ４１より入力された読み出しデータを処理し、必要に応じて図示せぬ表示部に表示する。
【００３８】
図６は、図４および図５のＩＣカード１１に内蔵されているループアンテナ１の構成例を示しており、従来の場合と対応する部分には同一の符号を付してあり、その説明は適宜省略する。図６に示すループアンテナ１は、基本形状が長方形状とされ、４巻きに巻かれている。４つの角の内角θの値は、いずれの巻きにおいても全て９０°−αとされる。すなわち、直線部Ｌ１と直線部Ｌ２、直線部Ｌ２と直線部Ｌ３、直線部Ｌ３と直線部Ｌ４、直線部Ｌ４と直線部Ｌ５といった内角は、すべて９０°−αとされている。ここで、定数αの値は、０以外の正または負の任意の値に設定することができる。これにより、四角形の各辺において、各直線部は非平行な状態となる。例えば、四角形の上辺において、直線部Ｌ２，Ｌ６，Ｌ１０，およびＬ１４は相互に非平行な状態となっている。
【００３９】
端子１４−Ａ，１４−ＢはＩＣ１３に接続されている。ループアンテナ１をこのような形状に構成することにより、２枚のＩＣカード１１が図２に示すように、同一方向に向けて重ね合わされた場合、および図３に示すように、逆方向に向けて重ね合わされた場合のいずれの場合においても、ループアンテナ１の直線部が結合し難くなり（上から見たとき、直線部の重なる部分が少なくなり）、受信効率の低下を抑えることができる。
【００４０】
その結果、ＩＣカード１１を１枚で使用する場合、２枚を同一方向に向けて重ねた場合、および２枚を逆方向に向けて重ねた場合のいずれの場合においても、通信するのに充分な受信感度を得ることができる。
【００４１】
次に、図７に示したような波形をもつ信号をリーダライタ２１からＩＣカード１１に対して送信した場合に、図６に示したようなループアンテナ１が適用されたＩＣカード１１が受信する受信電圧の測定結果を図８に示す。図７において縦軸は、送信電圧（Ｖ）を示し、横軸は、経過時間（秒）を示す。図８において縦軸は、受信電圧（Ｖ）を示し、横軸は、経過時間（秒）を示す。
【００４２】
なお、図７における電圧Ｖ１と図８における電圧Ｖ２は、異なる値であり、図７と図８の縦軸のスケールは異なっている。また、図８に示した測定結果は、図６に示したようなループアンテナ１を備えた、２枚のＩＣカード１１を、図３に示したように、逆方向に向けて重ね合わした場合における測定結果である。
【００４３】
図７に示したような、綺麗な波形をもつ信号をリーダライタ２１からＩＣカード１１に対して送信しても、ＩＣカード１１側では、図８に示したような歪みが生じた波形の信号として処理されてしまう。この歪みの原因を考えるために、図９に示したような、ＩＣカード１１の模式的な等価回路を考える。
【００４４】
この場合、２枚のＩＣカード１１が重ね合わされた状態であり、同様の構成をもつＩＣカード１１が、コンデンサ１０１−１とコンデンサ１０１−２を介して接続されていると考えることができる。ＩＣ１３−１，１３−２の内部構成は、それぞれ、図５に示したＩＣ１３の内部構成と同様であり、整流回路６１や変調回路６２などから構成されている。
【００４５】
図７に示したような波形の信号をリーダライタ２１からＩＣカード１１に送信した場合に、ＩＣカード１１側で処理される信号が、図８に示したような歪みを含む信号になってしまうのは、２枚のループアンテナ１−１（ＩＣカード１−１）とループアンテナ１−２（ＩＣカード１−２）を重ね合わせることにより生じる、コンデンサ１０１−１，１０１−２により表される容量に関係している。この容量を小さくすることにより、歪みを小さくすることができる。
【００４６】
コンデンサ１０１−１，１０１−２で表される容量は、ループアンテナ１−１とループアンテナ１−２の、物理的に重なっている部分に依存する。すなわち、ループアンテナ１−１とループアンテナ１−２が重なる部分が大きいほど、コンデンサ１０１−１，１０１−２により表される容量が大きくなる。特に、図６に示したような形状のループアンテナ１において、直線部Ｌ１乃至Ｌ１６以外の部分、すなわち、４つの角の部分は、直線部の部分に比べて線が密集している。この４つの角の部分において重なり合うことを防ぐようにすれば、コンデンサ１０１−１，１０２−２により表される容量を小さくすることが可能である。
【００４７】
そこで、図１０のような形状のループアンテナ１を考える。図１０に示したループアンテナ１において、図６に示したループアンテナ１と対応する部分には、同一の符号を付してある。図１０に示したループアンテナ１の形状は、４辺のうち２辺が、略円弧状の曲線Ｌ１，Ｌ５，Ｌ９，Ｌ１３，Ｌ１７と、それに対向する位置に、略円弧状の曲線Ｌ３，Ｌ７，Ｌ１１，Ｌ１５から構成され、残り２辺が、直線部Ｌ２，Ｌ６，Ｌ１０，Ｌ１４と、それに対向する位置に、直線部Ｌ４，Ｌ８，Ｌ１２，Ｌ１６から構成されている。
【００４８】
なお、図１０においては、図示していなが、端子１４−Ａと端子１４−Ｂとの間にＩＣ１３が接続され、そのＩＣ１３と並列にコンデンサ１２が接続される。
【００４９】
このように、４つの角の内の２つの角を直角に、残り２つの角を曲線にすることにより、２枚のループアンテナ１を逆方向に重ねたとしても、図１１に示すように、線が密集している角の部分において重なり合うことがなく、受信した信号を歪みが少ない信号として処理することが可能となる。
【００５０】
図１２は、図１０に示した形状のループアンテナ１を備えるＩＣカード１１を、２枚、逆方向に重ね合わせた、実質１枚のＩＣカード１１（すなわち、図１１に示したように２つのループアンテナ１が重なり合っているＩＣカード１１）により、図７に示したような波形をもつ信号をリーダライタ２１から受信した場合の、ＩＣカード１１おいて処理される信号を表した図である。
【００５１】
図８に示した波形と、図１２に示した波形とを比較するに、図１２に示した波形の方が、図８に示した波形に比べて歪みが少ないことがわかる。このように、ループアンテナ１を２枚、逆方向に重ねてＩＣカード１１を構成する場合、重なり合う部分を少なくする、特に、４つの角の部分が重ならないような形状にすることにより、受信した信号を歪みが少ない信号として処理することが可能となる。４つの角の部分が重ならないような形状にすると、結果として、全体としても重なる部分が少なくなる。
【００５２】
４つの角の部分（線の密度が高い部分）が重ならないということを考慮したループアンテナ１の形状としては、図１０に示したような形状の他に、図１３に示したような形状でも良い。図１３（Ａ）に示した形状は、平行四辺形であり、図中の上下の辺は、ＩＣカード１１の辺に対して平行になるように配置される。
【００５３】
図１３（Ｂ）に示した形状は、図１３（Ａ）に示した平行四辺形の４辺の内、２辺を曲線にした形状となっており、図中の上下の直線部の辺は、ＩＣカード１１の辺に対して平行になるように配置される。図１３（Ｃ）に示した形状は、図１３（Ａ）に示した平行四辺形の４辺を、全て曲線にした形状であり、この形状の１つの対角線が、ＩＣカード１１の１つの対角線と一致するように配置される。
【００５４】
図１３（Ｄ）に示した形状は、図形を構成する４辺の内、２辺が曲線、２辺が直線から構成されおり、ＩＣカード１１の角に対して曲線が近い位置にいちするように配置される。図１３（Ｅ）に示した形状は、２辺の曲線から構成されており、曲線の反転する位置（角に相当する位置）を結んだ線（対角線）がＩＣカード１１の１つの対角線と一致するように配置される。さらに、図１３（Ｆ）に示した形状は、楕円形であり、楕円形の長軸が、ＩＣカード１１の対角線と一致するように配置される。
【００５５】
図１０または図１３に示したループアンテナ１の形状は、上述したように、２枚のＩＣカード１１を逆向きに重ね合わせたときに、ループアンテナ１の角（曲線により示される角も含む）の部分が重ならない形状とされている。
【００５６】
換言すれば、ループアンテナ１の形状は、ＩＣカード１１の中心線を挟んで対向する角部のうち、一方（例えば、図１０において曲線部Ｌ３と直線部Ｌ４により構成される角部）は中心線から遠く、他方（例えば、図１０において直線部Ｌ４と曲線部Ｌ５により構成される角部）は中心線から近くになるように配置された形状とされている。
【００５７】
さらに換言すれば、ループアンテナ１の形状は、ＩＣカード１１の対角線と、ＩＣカード１１の角部に最も近い位置に位置し、対向する位置に位置するループアンテナ１の２点（例えば、図１０において、曲線部Ｌ３と直線部Ｌ４が交わる点と、曲線部Ｌ５と直線部Ｌ６が交わる点）を結んだ線が一致する形状とされている。
【００５８】
図１０または図１３に示したいずれかの形状のループアンテナ１をＩＣカード１１のアンテナとして用いることにより、ＩＣカード１１を２枚重ねて使用する場合においても、受信感度の低下を抑えることができ、１枚で使用する場合と同一の受信感度を得ることができ、また、受信し、処理する信号の歪みを抑えることができる。また、２枚以上の複数枚のＩＣカード１１を重ねて使用する場合においても、上述したような考え方が有効であり、どのような重ね合わせに対しても、受信効率の低下を極力抑え、歪みを抑えることができる。
【００５９】
従って、本発明を利用することで、ＩＣカード１１を重ね合わせて使用するようなアンチコリジョンシステム（Anticollision System）を容易に構成することができる。
【００６０】
以上においては、４巻き、または６巻きに巻かれたループアンテナ１を例にとり説明したが、その巻き数は任意に設定することが可能である。さらに、ループアンテナ１をＩＣカード１１に設けるようにしたが、本発明は、ＩＣカード以外のカード状（板状）の電子装置に適用することも可能である。
【００６１】
なお、本明細書においてシステムの用語は、複数の装置、手段などにより構成される全体的な装置を意味するものである。
【００６２】
【発明の効果】
以上のように、本発明によれば、受信効率の低下を抑制すると共に、受信した信号の歪みを抑制することが可能となる。
【図面の簡単な説明】
【図１】ループアンテナ１を説明する図である。
【図２】ループアンテナ１の重なりを説明する図である。
【図３】ループアンテナ１の重なりを説明する図である。
【図４】本発明を適用した非接触ＩＣカードシステムの構成例を示すブロック図である。
【図５】図４のＩＣ１３の構成例を示す回路図である。
【図６】ループアンテナ１の形状について説明する図である。
【図７】リーダライタ２１から送信される信号について説明する図である。
【図８】ＩＣカード１１により処理される信号について説明する図である。
【図９】２枚のループアンテナ１を重ねたときの等価回路を示す図である。
【図１０】ループアンテナ１の他の形状について説明する図である。
【図１１】図１０に示した形状のループアンテナ１を２枚重ねたときの状態を示す図である。
【図１２】ＩＣカード１１により処理される信号について説明する図である。
【図１３】ループアンテナ１のさらに他の形状について説明する図である。
【符号の説明】
１  ループアンテナ，  １１  ＩＣカード，  １２  ＩＣ，  ２１  リーダライタ，  ３１  ホストコンピュータ，  ４１  ＤＰＵ，  ４２Ａ  発振器，  ４２Ｂ  復調回路，  ４３  ループアンテナ，  ６１  整流回路，  ６２  変調回路，  ６３  HPF，  ６４  レギュレータ，  ６５  復調回路，  ６６  シーケンサ，  ６７  メモリ，  ７１  ダイオード，  ７２  抵抗，  ７３  コンデンサ，  ８１  インピーダンス素子，  ８２  FET，  ９１  コンデンサ，  ９２抵抗，  １０１  コンデンサ
【図１】
0004784794.tif 000002
【図２】
0004784794.tif 000003
【図３】
0004784794.tif 000004
【図４】
0004784794.tif 000005
【図５】
0004784794.tif 000006
【図６】
0004784794.tif 000007
【図７】
0004784794.tif 000008
【図８】
0004784794.tif 000009
【図９】
0004784794.tif 000010
【図１０】
0004784794.tif 000011
【図１１】
0004784794.tif 000012
【図１２】
0004784794.tif 000013
【図１３】
0004784794.tif 000014